【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
一次計量デバイスと、
二次計量デバイスと、
コイルパック
副冷却コイルと、
圧縮器と、
ファンとを含み、
前記コイルパックは、二次蒸発器部分と、一次蒸発器部分と、二次凝縮器部分とを含み、
前記二次蒸発器部分は、
前記一次計量デバイスから冷媒の流れを受け取り、
入口空気流を受け取って、第１の空気流を出力する、
ように動作可能であり、
該第１の空気流は、前記入口空気流よりも低温の空気を含み、前記第１の空気流は、前記入口空気流が前記二次蒸発器部分を通過するときに、前記入口空気流から前記冷媒の流れに熱を伝達することによって生成され、
前記一次蒸発器部分は、
前記二次計量デバイスから前記冷媒の流れを受け取り、
前記第１の空気流を受け取って、第２の空気流を出力する、
ように動作可能であり、
該第２の空気流は、前記第１の空気流よりも低温の空気を含み、前記第２の空気流は、前記第１の空気流が前記一次蒸発器部分を通過するときに、前記第１の空気流から前記冷媒の流れに熱を伝達することによって生成され、
前記二次凝縮器部分は、
前記二次蒸発器部分から前記冷媒の流れを受け取り、
前記第２の空気流を受け取って、第３の空気流を出力する、
ように動作可能であり、
該第３の空気流は、前記第２の空気流よりも高温で湿度の低い空気を含み、前記第３の空気流は、前記第２の空気流が前記二次凝縮器部分を通過するときに、前記冷媒の流れから前記第３の空気流に熱を伝達することによって生成され、
前記副冷却コイルは、
一次凝縮器から前記冷媒の流れを受け取り、
前記冷媒の流れを前記一次計量デバイスに出力し、
前記第３の空気流を受け取り、除湿された空気流を調整された空間に出力し、
前記圧縮器から前記冷媒の流れを受け取り、
調整されていない空間から第１の外気流を受け取り、第２の外気流を前記調整されていない空間に出力する、
ように動作可能であり、
前記除湿された空気流は、前記第３の空気流よりも高温で湿度の低い空気を含み、前記除湿された空気流は、前記第３の空気流が前記副冷却コイルを通過するときに、前記冷媒の流れから前記除湿された空気流に熱を伝達することによって生成され、
前記第２の外気流は、前記第１の外気流よりも高温で湿度の低い空気を含み、前記第２の外気流は、前記第１の外気流が前記一次凝縮器を通過するときに、前記冷媒の流れから前記第２の外気流に熱を伝達することによって生成され、
前記圧縮器は、前記一次蒸発器から前記冷媒の流れを受け取って、前記冷媒の流れを前記一次凝縮器に提供するように動作可能であり、前記一次凝縮器に提供される前記冷媒の流れは、前記圧縮器で受け取る前記冷媒の流れよりも高い圧力を含み、
前記ファンは、前記入口空気流、前記第１の空気流、前記第２の空気流、前記第３の空気流、および除湿された空気流を生成するように動作可能である、
除湿システム。
【請求項２】
前記コイルパックの前記一次蒸発器部分および／または前記コイルパックの前記二次蒸発器部分は、冷媒の流れのための２つまたはそれよりも多くの回路を含む、請求項１に記載の除湿システム。
【請求項３】
前記コイルパックの前記一次蒸発器部分および／または前記二次蒸発器部分への細分された冷媒の流れを提供するように動作可能な受動的および／または能動的な計量デバイスを含む、請求項２に記載の除湿システム。
【請求項４】
前記一次計量デバイスおよび前記二次計量デバイスは、前記コイルパックの前記一次蒸発器部分および／または前記二次蒸発器部分への細分された前記冷媒の流れを提供するように動作可能である、請求項２に記載の除湿システム。
【請求項５】
当該除湿システムの前記一次計量デバイス、前記二次計量デバイス、前記コイルパック、および前記副冷却コイルは、自給式の持ち運び可能な除湿ユニット内に含められる、請求項１に記載の除湿システム。
【請求項６】
当該除湿システムは、前記冷媒を１回の冷凍サイクルにおいて二度蒸発させ且つ二度凝縮させるように動作可能である、請求項１に記載の除湿システム。
【請求項７】
前記二次計量デバイスは、実質的に開放した状態で作動させられる、請求項１に記載の除湿システム。
【請求項８】
圧縮器と、
一次凝縮器と、
一次蒸発器部分と、二次蒸発器部分と、二次凝縮器部分とを含む、コイルパックとを含み、
前記二次蒸発器部分は、入口空気流を受け取って、第１の空気流を出力するように動作可能であり、該第１の空気流は、前記入口空気流よりも低温の空気を含み、前記第１の空気流は、前記入口空気流が前記二次蒸発器部分を通過するときに、前記入口空気流から冷媒の流れに熱を伝達することによって生成され、
前記一次蒸発器部分は、前記第１の空気流を受け取って、第２の空気流を出力するように動作可能であり、該第２の空気流は、前記第１の空気流よりも低温の空気を含み、前記第２の空気流は、前記第１の空気流が前記一次蒸発器部分を通過するときに、前記第１の空気流から前記冷媒の流れに熱を伝達することによって生成され、
前記二次凝縮器部分は、前記第２の空気流を受け取って、第３の空気流を出力するように動作可能であり、該第３の空気流は、前記第２の空気流よりも高温で湿度の低い空気を含み、前記第３の空気流は、前記第２の空気流が前記二次凝縮器部分を通過するときに、前記冷媒の流れから前記第３の空気流に熱を伝達することによって生成され、
前記一次凝縮器は、調整されていない空間から第１の外気流を受け取り、第２の外気流を前記調整されていない空間に出力する、ように動作可能であり、前記第２の外気流は、前記第１の外気流よりも湿度が低く高温の空気を含み、前記第２の外気流は、前記第１の外気流が前記一次凝縮器を通過するときに、前記冷媒の流れから前記第２の外気流に熱を伝達することによって生成され、
前記圧縮器は、前記コイルパックの前記一次蒸発器部分から前記冷媒の流れを受け取り、前記冷媒の流れを前記一次凝縮器に提供する、ように動作可能である、
除湿システム。
【請求項９】
前記コイルパックの前記一次蒸発器部分および／または前記コイルパックの前記二次蒸発器部分は、冷媒の流れのための２つまたはそれよりも多くの回路を含む、請求項８に記載の除湿システム。
【請求項１０】
前記コイルパックの前記一次蒸発器部分および／または前記二次蒸発器部分への細分された冷媒の流れを提供するように動作可能な受動的および／または能動的な計量デバイスを含む、請求項９に記載の除湿システム。
【請求項１１】
一次計量デバイスと、
二次計量デバイスとを更に含み、
前記一次計量デバイスおよび前記二次計量デバイスは、前記コイルパックの前記一次蒸発器部分および／または前記二次蒸発器部分への細分された冷媒の流れを提供するように動作可能である、
請求項９に記載の除湿システム。
【請求項１２】
前記二次計量デバイスは、固定的なまたは可変な膨張デバイスであり、
前記一次計量デバイスは、固定的なまたは可変な膨張デバイスである、
請求項１１に記載の除湿システム。
【請求項１３】
前記入口空気流、前記第１の空気流、前記第２の空気流、および前記第３の空気流を生成するように動作可能なファンを更に含む、請求項９に記載の除湿システム。
【請求項１４】
当該除湿システムの前記一次計量デバイス、前記二次計量デバイス、および前記コイルパックは、自給式の持ち運び可能な除湿ユニット内に含められる、請求項１１に記載の除湿システム。
【請求項１５】
当該除湿システムは、前記冷媒を１回の冷凍サイクルにおいて二度蒸発させ且つ二度凝縮させるように動作可能である、請求項９に記載の除湿システム。
【請求項１６】
前記二次計量デバイスは、実質的に開放した状態で作動させられる、請求項１１に記載の除湿システム。
【請求項１７】
圧縮器と、
一次凝縮器と、
一次蒸発器と、
二次蒸発器部分と、二次凝縮器部分とを含む、コイルパックとを含み、
前記二次蒸発器部分は、入口空気流を受け取って、第１の空気流を出力するように動作可能であり、該第１の空気流は、前記入口空気流よりも低温の空気を含み、前記第１の空気流は、前記入口空気流が前記二次蒸発器部分を通過するときに、前記入口空気流から冷媒の流れに熱を伝達することによって生成され、
前記一次蒸発器は、前記第１の空気流を受け取って、第２の空気流を出力するように動作可能であり、該第２の空気流は、前記第１の空気流よりも低温の空気を含み、前記第２の空気流は、前記第１の空気流が前記一次蒸発器を通過するときに、前記第１の空気流から前記冷媒の流れに熱を伝達することによって生成され、
前記二次凝縮器部分は、前記第２の空気流を受け取って、第３の空気流を出力するように動作可能であり、該第３の空気流は、前記第２の空気流よりも高温で湿度の低い空気を含み、前記第３の空気流は、前記第２の空気流が前記二次凝縮器部分を通過するときに、前記冷媒の流れから前記第３の空気流に熱を伝達することによって生成され、
前記一次凝縮器は、調整されていない空間から第１の外気流を受け取り、第２の外気流を前記調整されていない空間に出力する、ように動作可能であり、前記第２の外気流は、前記第１の外気流よりも湿度が低く高温の空気を含み、前記第２の外気流は、前記第１の外気流が前記一次凝縮器を通過するときに、前記冷媒の流れから前記第２の外気流に熱を伝達することによって生成され、
前記圧縮器は、前記コイルパックの前記一次蒸発器から前記冷媒の流れを受け取って、前記冷媒の流れを前記一次凝縮器に提供するように動作可能である、
除湿システム。
【請求項１８】
前記一次蒸発器および／または前記コイルパックの前記二次蒸発器部分は、冷媒の流れのための２つまたはそれよりも多くの回路を含む、請求項１７に記載の除湿システム。
【請求項１９】
前記一次蒸発器および／または前記コイルパックの前記二次蒸発器部分への細分された冷媒の流れを提供するように動作可能な固定的および／または可変な計量デバイスを含む、請求項１７に記載の除湿システム。
【請求項２０】
一次計量デバイスと、
二次計量デバイスとを更に含み、
前記一次計量デバイスおよび前記二次計量デバイスは、前記一次蒸発器および／または前記コイルパックの前記二次蒸発器部分への細分された冷媒の流れを提供するように動作可能である、
請求項１７に記載の除湿システム。
【請求項２１】
前記二次計量デバイスは、固定的なまたは可変な膨張デバイスであり、
前記一次計量デバイスは、固定的なまたは可変な膨張デバイスである、
請求項２０に記載の除湿システム。
【請求項２２】
前記入口空気流、前記第１の空気流、前記第２の空気流、および前記第３の空気流を生成するように動作可能なファンを更に含む、請求項１７に記載の除湿システム。
【請求項２３】
当該除湿システムの前記一次計量デバイス、前記二次計量デバイス、および前記コイルパックは、自給式の持ち運び可能な除湿ユニット内に含められる、請求項２０に記載の除湿システム。
【請求項２４】
当該除湿システムは、前記冷媒を１回の冷凍サイクルにおいて二度蒸発させ且つ二度凝縮させるように動作可能である、請求項１７に記載の除湿システム。
【請求項２５】
前記二次計量デバイスは、実質的に開放した状態で作動させられる、請求項２０に記載の除湿システム。